(57)【要約】【課題】給湯回路に含まれる複数の機能部品を一体的にユニット化して小型、軽量のモジュール構造にする。【解決手段】貯湯タンク１の湯をシャワー２１や浴槽２８の循環路４０に落とし込む給湯回路に使用されている、圧力逃し弁３と、混合弁６、８と、主電磁弁１４と、逆止弁１５、１６、１８と、負圧作動弁１７と、減圧弁１９との各機能部品は射出成型品のボデイ内にその機能部品の機構を形成したものとする。複数の機能部品は、一方側の機能部品のボデイの送水端に他方側の機能部品のボデイの入水端をワンタッチ取り付け具を用いて連結するという如く、給湯回路を構成する全ての機能部品をねじ締結の無いパイプレスで連結し、水量センサ４、１３もねじ締結の無いパイプレスの形態で組み込んで機能部品とセンサを一体化した弁内蔵式給湯回路モジュールを構成する。【選択図】    図９
2006010259.tif 000002
【特許請求の範囲】
【請求項１】
弁を含む複数の機能部品を内蔵して給湯回路を構成する弁内蔵式給湯回路モジュールであって、機能部品はボデイ内に当該機能部品の機構が形成されているものであり、複数の各機能部品は一方側の機能部品のボデイの送水端に他方側の機能部品のボデイの入水端がねじ締結のないワンタッチ取り付け具によりパイプレスの形態で連結されて、給湯回路を構成する複数の機能部品が一体的に集合されてユニット形成されていることを特徴とする弁内蔵式給湯回路モジュール。
【請求項２】
機能部品には給湯回路の流路の断続を行う主電磁弁と、この主電磁弁の下流側に設けられる縁切り弁とが含まれ、この縁切り弁は排水室と該排水室に連通する排水路を有し、前記主電磁弁の上流側の一次圧が主電磁弁の下流側の二次圧よりも低下したときに弁を開いて前記排水室を前記排水路から流入する空気と置換して主電磁弁の上流側と下流側を縁切りし、下流側から逆流する水を前記排水室に落としこんで前記排水路から外部へ流出する構成と成しており、前記主電磁弁の入水口は該主電磁弁が縦置き横置き何れの姿勢においても前記排水室の入り口よりも高所位置にあり、この排水室の入り口から主電磁弁の入水口までの高さは前記下流側から逆流してくる水を強制的に排水室に落とし込んで主電磁弁側への逆流を阻止するためのヘッド圧を発生する高さが確保されていることを特徴とする請求項１記載の弁内蔵式給湯回路モジュール。
【請求項３】
機能部品の１つは圧力逃し弁であり、この圧力逃し弁は弁内蔵式給湯回路モジュール内の湯水路に設けられる全ての機能部品のなかで、最も上流位置に設けられていることを特徴とする請求項１又は請求項２記載の弁内蔵式給湯回路モジュール。
【請求項４】
機能部品のボデイは合成樹脂を材料とした射出成型品により形成されていることを特徴とする請求項１乃至請求項３の何れか１つに記載の弁内蔵式給湯回路モジュール。
【請求項５】
弁内蔵式給湯回路モジュール内には湯水路と給水路が形成されており、給水路には機能部品の減圧弁が設けられており、この減圧弁の一次側には機能部品のブローバルブが設けられており、このブローバルブは減圧弁の一次側の水圧が予め設定した圧力を越えたときにその圧力を外部へ逃すものであることを特徴とする請求項１乃至請求項４記載の弁内蔵式給湯回路モジュール。
【請求項６】
ブローバルブの圧力の逃し通路は縁切り弁の排水路に連通されて、該排水路は縁切り弁の排水路とブローバルブの圧力の逃し通路を兼用しており、ブローバルブの一次圧力の入口とブローバルブの圧力の逃し側の通路が前記排水路に連通する連通口との間には、弁内蔵式給湯回路モジュールが縦置き横置きの何れの設置姿勢にあっても前記一次圧力の入り口を上位側として排水路側から前記ブローバルブの一次圧力の入口側へ排水の水が入り込むのを阻止する高低差が設けられて、ブローバルブの上流側の給水路と前記排水路とは縁切りされていることを特徴とする請求項５記載の弁内蔵式給湯回路モジュール。
【請求項７】
湯水路と給水路の合流位置には湯水路からの湯と給水路からの水を混合して設定温度の湯を作り出す機能部品の混合弁が設けられていることを特徴とする請求項５又は請求項６記載の弁内蔵式給湯回路モジュール。
【請求項８】
混合弁は複数並列して設けられ、各混合弁はその湯の入水側が共通の湯水路に連通接続され、各混合弁の水の入水側は共通の給水路に連通接続されており、前記共通の湯水路はその接続相手側の湯水路よりも大径に形成され、前記共通の給水路はその接続相手側の給水路よりも大径に形成されており、前記共通の湯水路は共通湯水路形成部材のボデイ内に貫通形成され、前記共通の給水路は共通給水路形成部材のボデイ内に貫通形成され、これら共通湯水路形成部材と共通給水路形成部材はそれぞれ対応する接続相手の水路側の部材にねじ締結のないワンタッチ取り付け具によりパイプレスの形態で連結されていることを特徴とする請求項７記載の弁内蔵式給湯回路モジュール。
【請求項９】
共通湯水路形成部材のボデイと共通給水路形成部材のボデイとはそれぞれ合成樹脂を材料とした射出成型品により形成されていることを特徴とする請求項８記載の弁内蔵式給湯回路モジュール。
【発明の詳細な説明】
【技術分野】
【０００１】
本発明は、例えば貯湯タンク内等の湯を給湯先に供給する給湯回路に組み込まれて使用される弁内蔵式給湯回路モジュールに関するものである。
【背景技術】
【０００２】
図１２には一般的な給湯回路が示されている。同図において、貯湯タンク１内には湯が貯められており、この貯湯タンク１内の湯を風呂場等の所望の給湯先へ給湯するための給湯回路１０、１０′が圧力逃し弁３、水量センサ４、弁ユニット５（減圧弁、逆止弁を配管接続したユニット）、混合弁６、６′、縁切り弁７等の各機能部品を配管パイプ２及び２′で連結接続することによって組み立てられている。
【０００３】
図１２の例では、貯湯タンク１内に電気ヒータ（図示せず）が組み込まれており、弁ユニット５に入り込む給水は貯湯タンク１の底部側から貯湯タンク１内に供給され、電気ヒータにより加熱されて湯が作り出される。この貯湯タンク１内の湯は該貯湯タンク１の上部側のパイプ２及び２′を通して引き出され、混合弁６及び６′でその湯と給水の水が混合されて設定温度の湯が作り出される。そして、混合弁６で混合された湯は縁切り弁７を介して図示されていないパイプを通して風呂浴槽へ供給される。また、混合弁６′で混合された湯が水量センサ４を通り給湯される。
【発明の開示】
【発明が解決しようとする課題】
【０００４】
しかしながら、従来の給湯回路１０は圧力逃し弁３、水量センサ４等の各種機能部品が互いに離れたばらばらの位置で配管パイプ２と機能部品とを１個ずつ連結接続しなければならないため、その給湯回路１０の組立施工が大変であり、その作業効率が悪い上に、メンテナンス作業も作業効率が悪いものであった。
【０００５】
また、機能部品を１個接続するごとに配管パイプ２の引き回しが生じるため、大掛かりで複雑な配管回路となり、給湯回路１０が大型化し、重量も重くなるという問題があった。
【０００６】
さらに、給湯回路１０の組立施工の作業効率が悪いことから、給湯回路１０の製造コスト（組立コスト）が高くなり、メンテナンスの作業コストも高くなるという問題があった。
【０００７】
本発明は上記課題を解決するためになされたものであり、その目的は、給湯回路を作業効率よく組み立てることができる上に、メンテナンスの作業効率の大幅な改善が可能であり、また、給湯回路の小型化、軽量化、低コスト化が可能な弁内蔵式給湯回路モジュールを提供することにある。
【課題を解決するための手段】
【０００８】
本発明は上記目的を達成するために、次のような構成をもって課題を解決する手段と成している。すなわち、本発明は、弁を含む複数の機能部品を内蔵して給湯回路を構成する弁内蔵式給湯回路モジュールであって、機能部品はボデイ内に当該機能部品の機構が形成されているものであり、複数の各機能部品は一方側の機能部品のボデイの送水端に他方側の機能部品のボデイの入水端がねじ締結のないワンタッチ取り付け具によりパイプレスの形態で連結されて、給湯回路を構成する複数の機能部品が一体的に集合されてユニット形成されていることをもって課題を解決する手段と成している。
【０００９】
本発明の一構成例では、前記機能部品には給湯回路の流路の断続を行う主電磁弁と、この主電磁弁の下流側に設けられる縁切り弁とが含まれ、この縁切り弁は排水室と該排水室に連通する排水路を有し、前記主電磁弁の上流側の一次圧が主電磁弁の下流側の二次圧よりも低下したときに弁を開いて前記排水室を前記排水路から流入する空気と置換して主電磁弁の上流側と下流側を縁切りし、下流側から逆流する水を前記排水室に落としこんで前記排水路から外部へ流出する構成と成しており、前記主電磁弁の入水口は該主電磁弁が縦置き横置き何れの姿勢においても前記排水室の入り口よりも高所位置にあり、この排水室の入り口から主電磁弁の入水口までの高さは前記下流側から逆流してくる水を強制的に排水室に落とし込んで主電磁弁側への逆流を阻止するためのヘッド圧を発生する高さが確保されているものとする。
【００１０】
また、本発明の一構成例においては、機能部品の１つは圧力逃し弁であり、この圧力逃し弁は弁内蔵式給湯回路モジュール内の湯水路に設けられる全ての機能部品のなかで、最も上流位置に設けられているものとする。
【００１１】
好ましくは、機能部品のボデイは合成樹脂を材料とした射出成型品により形成することが望ましい。
【００１２】
さらに、本発明の一構成例においては、弁内蔵式給湯回路モジュール内には湯水路と給水路が形成されており、給水路には機能部品の減圧弁が設けられており、この減圧弁の一次側には機能部品のブローバルブが設けられており、このブローバルブは減圧弁の一次側の水圧が予め設定した圧力を越えたときにその圧力を外部へ逃すものである。
【００１３】
この場合、好ましくは、ブローバルブの圧力の逃し通路は縁切り弁の排水路に連通し、該排水路は縁切り弁の排水路とブローバルブの圧力の逃し通路を兼用し、ブローバルブの一次圧力の入口とブローバルブの圧力の逃し側の通路が前記排水路に連通する連通口との間には、弁内蔵式給湯回路モジュールが縦置き横置きの何れの設置姿勢にあっても前記一次圧力の入り口を上位側として排水路側から前記ブローバルブの一次圧力の入口側へ排水の水が入り込むのを阻止する高低差を設けて、ブローバルブの上流側の給水路と前記排水路とは縁切りされている構成とする。
【００１４】
さらに、本発明の一構成例においては、湯水路と給水路の合流位置には湯水路からの湯と給水路からの水を混合して設定温度の湯を作り出す機能部品の混合弁が設けられる。
【００１５】
混合弁は複数並列して設けられてもよく、その場合、好ましくは、各混合弁はその湯の入水側が共通の湯水路に連通接続され、各混合弁の水の入水側は共通の給水路に連通接続され、前記共通の湯水路はその接続相手側の湯水路よりも大径に形成され、前記共通の給水路はその接続相手側の給水路よりも大径に形成され、前記共通の湯水路は共通湯水路形成部材のボデイ内に貫通形成され、前記共通の給水路は共通給水路形成部材のボデイ内に貫通形成され、これら共通湯水路形成部材と共通給水路形成部材はそれぞれ対応する接続相手の水路側の部材にねじ締結のないワンタッチ取り付け具によりパイプレスの形態で連結されている構成とする。
【００１６】
その場合、前記共通湯水路形成部材のボデイと共通給水路形成部材のボデイとはそれぞれ合成樹脂を材料とした射出成型品により形成してもよい。
【発明の効果】
【００１７】
本発明においては、給湯回路を構成する複数の各機能部品は互いに一方側の機能部品のボデイの送水端に他方側の機能部品のボデイの入水端をねじ締結のないワンタッチ取り付け具を用いてパイプレスの形態で連結されるので、従来例のように配管パイプ２を用いて機能部品同士を１個ずつ接続する作業効率の悪い作業は不要となり、給湯回路の組立作業効率の大幅な改善が図れ、給湯回路の製造コスト（組立コスト）を低減することが可能である。また、給湯回路のメンテナンス作業も容易となり、メンテナンス作業の作業効率が改善され、メンテナンスのコスト低減を図ることも可能である。
【００１８】
また、機能部品相互の接続に従来例のような配管パイプ２を必要としないので、給湯回路の構成が簡易化すると供に、小型化、軽量化を図ることができる。
【００１９】
さらに、主電磁弁の入水口は該主電磁弁が縦置き横置き何れの姿勢においても縁切り弁の排水室の入り口よりも高所位置にあり、この排水室の入り口から主電磁弁の入水口までの高さは前記下流側から逆流してくる水を強制的に排水室に落とし込んで主電磁弁側への逆流を阻止するためのヘッド圧を発生する高さが確保されている構成とした発明においては、主電磁弁を縦置き、横置きの何れの姿勢で設置しても、下流側から逆流してくる水を確実に排水室に落としこんで外部へ排水できるので、主電磁弁の一次側へ逆流水が混入することを防止できる。このように、主電磁弁を縦置き、横置きの何れの姿勢で設置しても支障なく使用できるので、設置場所のスペースや、外部配管状態に応じて、主電磁弁の縦置き、横置きの姿勢を選択できることとなり、給湯回路の設計の自由度が高まり、取り扱い、使用勝手に優れたものとなる。
【００２０】
さらに、圧力逃し弁が弁内蔵式給湯回路モジュール内の湯水路に設けられる全ての機能部品のなかで、最も上流位置に設けられている構成とした発明においては、例えば、本願発明の弁内蔵式給湯回路モジュールを電気温水式の給湯回路に組み込んだとき、弁内蔵式給湯回路モジュール内の湯水路の最上流位置が貯湯タンクの湯の送水通路に接続されるので、貯湯タンク内の圧力が予め設定した圧力よりも上昇したときには前記圧力逃し弁が作動して貯湯タンク内の過剰圧力を外部へ逃すので、貯湯タンク内の圧力過剰による危険を回避することができる。
【００２１】
さらに、機能部品のボデイを合成樹脂を材料とした射出成型品により形成した本発明においては、機能部品の量産化に有利となる上に、機能部品を金属ボデイで製作する場合に比べ格段の軽量化が図れる。さらに、製作も容易になるので、機能部品のより一層のコスト低減が可能である。
【００２２】
さらに、弁内蔵式給湯回路モジュール内の給水路に減圧弁を設け、その減圧弁の一次側にブローバルブを設けた構成の本発明においては、減圧弁の一次圧が予め設定した圧力を越えたときにはブローバルブが作動してその過剰圧力を外部へ逃すので、減圧弁の一次側の圧力が設定圧力を越えて大きく上昇することを防止できる。そのため、弁内蔵式給湯回路モジュール内の機能部品のボデイが合成樹脂の成型品により形成されていて、金属製のボデイに比べ機械的強度が低くても、前記過剰圧力がその合成樹脂の成型品に作用するのを防止できるので、機械的強度が金属よりも低い射出成型品をボデイとする機能部品を支障なく安全に使用することができる。
【００２３】
さらに、ブローバルブの圧力の逃し通路は縁切り弁の排水路に連通されて、該排水路は縁切り弁の排水路とブローバルブの圧力の逃し通路を兼用して成る構成の本発明においては、ブローバルブの圧力の逃し通路を排水路とは別の専用の通路として形成する場合よりも通路形成の簡易化が図れ、ブローバルブの圧力の逃し通路を排水路と兼用することで、装置（弁内蔵式給湯回路モジュール）のさらなる小型化、軽量化が可能である。また、弁内蔵式給湯回路モジュールが縦置き横置きの何れの設置姿勢にあっても前記一次圧力の入り口を上位側として排水路側から前記ブローバルブの一次圧力の入口側へ排水の水が入り込むのを阻止する高低差を設けて、ブローバルブの上流側の給水路と排水路とは縁切りされるので、排水路側の水が給水路側に混入する危険を確実に防止することができる。
【００２４】
さらに、弁内蔵式給湯回路モジュール内の湯水路と給水路の合流位置の混合弁は複数並列して設けられ、各混合弁はその湯の入水側が共通の湯水路に連通接続され、各混合弁の水の入水側は共通の給水路に連通接続され、前記共通の湯水路はその接続相手側の湯水路よりも大径に形成され、前記共通の給水路はその接続相手側の給水路よりも大径に形成されている構成の本発明においては、前記共通の湯水路および共通の給水路は大径に形成されているので、複数並列配置された各混合弁の弁動作による圧力変動の影響を吸収緩和して抑制することができ、これにより、混合弁が複数並列配置されている場合においても他の混合弁の動作の影響を殆ど受けずに各混合弁の調温制御動作の信頼性を確保することができる。
【００２５】
さらに、前記共通の湯水路を形成して成る共通湯水路形成部材のボデイと前記共通の給水路を形成して成る共通給水路形成部材のボデイとがそれぞれ合成樹脂を材料とした射出成型品により形成されている構成の本発明においては、前記の機能部品のボデイを射出成型品で構成した場合と同様な効果、つまり、量産化に有利となる上に、金属ボデイで製作する場合に比べ格段の軽量化が図れ、さらに、製作も容易になるので、水路形成部材のより一層のコスト低減が可能となるものである。
【発明を実施するための最良の形態】
【００２６】
以下、本発明の実施の形態を図面に基き説明する。図９は本発明に関連する給湯回路と、風呂の追い焚き回路とを有する、給湯・追い焚き複合回路のモデルを示す。同図において、貯湯タンク１には熱交換器２６と、貯湯タンク１内の湯温を検出する温度センサ３２と、貯湯タンク１内の湯水を加熱するヒータ３３、３３′とが設けられている。この給湯・追い焚き複合回路は制御装置（図示せず）によってその運転（動作）が制御されるものであり、貯湯タンク１内の湯温は温度センサ３２の湯温検出情報に基き予め設定された温度となるようにヒータ３３の加熱制御が行なわれる。
【００２７】
貯湯タンク１内の湯は給湯管１２を通して送出され圧力逃し弁３を介して混合弁６、８に供給される。この混合弁６と混合弁８は並列状に配置され、給湯管１２を通して供給される湯と、給水管１１を通して供給される給水（水）とを混合して予め設定された湯温の湯を作り出す。そして、混合弁６で作り出された湯は水量センサ４を介し給湯管２０を通してシャワー２１に供給され、シャワー利用に供される。また、混合弁８で作り出された湯は、上流側から順に、水量センサ１３、主電磁弁１４、逆止弁１５、縁切り弁７、逆止弁１６が配置された給湯管２２を通して浴槽２８の循環路４０に供給され、該循環路４０の管路３８と戻り管２５から浴槽２８に湯が供給されて湯張りが行なわれる。なお、図中９０は、混合弁６、６′のそれぞれの給水側および給湯側に着脱可能に組み込まれている逆止弁である。
【００２８】
この湯張りによる浴槽水位は水位センサ２３で検出され、検出水位が設定水位に達したときに主電磁弁１４が閉止されることで浴槽への湯張り動作が終了する（湯張りの運転は主電磁弁１４を開動作させることにより開始する）。
【００２９】
前記給水管１１には上流側から下流側に向けて順に負圧作動弁１７、逆止弁１８、減圧弁１９が設けられており、減圧弁１９の二次側の管路から前記混合弁６、８に給水が供給される構成と成している。また、減圧弁１９の二次側からは給水分岐管３９が給水管１１から分岐され、その給水分岐管３９の先端側は弁３４を介して貯湯タンク１の底部に接続され、貯湯タンク１内の湯が使用されたときにはその使用された分の水が貯湯タンク１内に補充されるようになっている。なお、図９中、３５は排水栓を示している。
【００３０】
一方、浴槽２８内の湯を追い焚きする回路（風呂回路）は、浴槽２８から戻り管２５、熱交換器２６、往管２７、三方弁２４、管路３６、管路３８を経て浴槽２８に戻る循環路４０によって形成されている。浴槽湯水の追い焚きは三方弁２４によって、管路３６を往管２７に切り替え連通した状態で戻り管２５に介設された循環ポンプ２９を起動することにより行なわれる。循環ポンプ２９の起動により、浴槽２８内の湯水は、戻り管２５から熱交換器２６を通流する。この熱交換器２６を通るときに貯湯タンク１内の高温の湯と熱交換されて昇温し、この昇温された湯は往管２７から、管路３６、管路３８を経て浴槽２８に戻されることで、浴槽内の湯温が上昇し追い焚きが行なわれる。
【００３１】
浴槽２８の湯温は風呂温度センサ３１で検出され、その検出温度が風呂の設定温度に達したときに循環ポンプ２９の駆動が停止され、風呂の追い焚きが終了する。なお、三方弁２４により、管路３６が管路３７に切り替え連通された状態で、循環ポンプ２９が起動されたときには、浴槽２８の湯水は、戻り管２５、管路３７、三方弁２４、管路３６、管路３８を順に経て浴槽２８へ循環し、そのときの循環湯水の温度を風呂温度センサ３１で検出することにより、浴槽２８内の湯水の温度（風呂温度）が検出される。図中、３０は浴槽湯水の循環を検出する水流スイッチ３０を示す。
【００３２】
図９に示す回路において、給湯回路は、貯湯タンク１の湯を混合弁６、８に導く給湯管１２と、混合弁６、８に給水を供給する給水管１１と、混合弁６の混合水をシャワー２１へ導く給湯管２０と、混合弁８の混合水を循環路４０へ落とし込む給湯管２２との回路部分であり、本発明の弁内蔵式給湯回路モジュールの第１の実施形態は、図９の給湯回路の中の符号Ａで囲まれた回路部分の回路を一体的にモジュール化したものである。このモジュール化を行なうに際し、本実施形態例において特徴的なことは、各種弁６、８、１４、１５、１６、７、１９、１８、１７の単体又は複合体をパイプを用いることなく、つまり、パイプレスで着脱自在に連結してユニット化し（必要に応じ逆止弁９０をも組み込んでユニット化し）、センサ４、１３もパイプレスで着脱自在にそのユニットに組み込む構成としたことと、各弁やセンサの連結は、ねじ締結手段を用いずにワンタッチ取り付け具を用いて簡易（簡単）に行い得る構成としたことである。
【００３３】
図１、図２は本発明に係る弁内蔵式給湯回路モジュールの第１の実施形態例の構成を示す。これらの図において、図１（ａ）は同モジュールの平面図、図１（ｂ）は同モジュールの正面図、図２（ａ）は図１（ｂ）の左側面図、図２（ｂ）は図１（ｂ）の右側面図をそれぞれ示している。本実施形態例の弁内蔵式給湯回路モジュールは前記図９中の符号Ａで囲まれた各種の機能部品である各種弁６、８、１４、１５、１６、７、１９、１８、１７およびセンサ（水量センサ）４、１３の機構（弁においては弁機構、センサにおいてはセンサ機構）が集合一体化されたものであるが、この集合一体化に際し、全てにおいて、１つの機能部品の機構が１つのボデイ内に形成される構成としてもよいが、本実施形態においては、混合弁８と水量センサ１３と主電磁弁１４と逆止弁１５と縁切り弁７の機構は共通のボデイ内に形成してメーンユニット５０（メーンユニット５０の機能部品）と成しており、それ以外の機能部品は各機能部品毎のボデイにその当該機能部品の機構が形成されている。なお、これらの各種弁やセンサ自体の機構は周知であり、以下の説明においては、本願発明の特有な機能部品の構成部分については詳述し、周知部分の構成についてはその説明を省略又は簡略化する。
【００３４】
上記各機能部品のボデイは鋳物等によっても形成可能であるが、この実施形態例においては、小型軽量化、製造の容易化、製造コストの低減化を図る観点から、合成樹脂を材料とした射出成型品によって前記ボデイを形成している。そして、各機能部品の連結は一方側の機能部品（具体的にはそのボデイ）の送水端側と他方側の機能部品（具体的にはそのボデイ）の入水端側とを嵌合させ、その嵌合部（ボデイ同士の嵌合部）にねじ締結手段を有しないワンタッチ取り付け具を装着して機能部品同士を着脱自在に連結している。
【００３５】
このワンタッチ取り付け具の構成は様々な形態をとり得るが、この実施の形態においては、Ｕ字形状ピンを用いる構成と、クリップ部材（クイックファスナー）を用いる構成とを併用している。図７（ｂ）は一方側の機能部品Ａと他方側の機能部品Ｂとを例にしてＵ字形状ピンを用いて連結する構成を代表的に示すもので、機能部品Ｂの内側に嵌合する機能部品Ａ側のボデイ周壁に凹部４２を形成し、嵌合部分において外側となる機能部品Ｂの筒壁には図７（ａ）に示すようなＵ字形状ピン４１のピン足が貫通挿入するピン穴４１ａを開けておく。この状態で、機能部品のＡの一端側（例えば送水端側）と機能部品Ｂの一端側（例えば入水端側）を嵌合し、機能部品Ｂの外側からピン穴４１ａにＵ字形状ピン４１のピン足を貫通挿入することにより、ピン足は機能部品Ａの両側（直径方向の両側）の凹部４２に入り込んで、機能部品Ａと機能部品Ｂとは抜け止め状態で連結され、また、ピン穴４１ａからＵ字形状ピン４１を引き抜くことにより両機能部品Ａ、Ｂの連結は解除されるものである。
【００３６】
図８は（ｃ）は一方側の機能部品Ａと他方側の機能部品Ｂとを例にしてクリップ部材を用いて連結する構成を代表的に示すものである。図８（ａ）はクリップ部材６３の構成を示し、図８（ｂ）は図８（ａ）の側面図を示す。クリップ部材６３は弾性をもたせるために湾曲形成された連結板部６４の両端からアーム部６５が起立形成され、アーム部６５の側板部６６ａ、６６ｂが内側に折り曲げ形成されてアーム部６５の横断面形状がコ字形状を呈しているものである。図８（ｃ）に示されるように、このアーム部６５の側板部６６ａ、６６ｂが機能部品Ａ、Ｂの接続端に形成した鍔４３、４４を跨って両側から挟むようにしてクリップ部材６３を鍔４３、４４に差し込むワンタッチアクション動作によって機能部品Ａと機能部品Ｂとが抜け止め状態で連結され、また、鍔４３、４４からクリップ部材６３を引き抜くことにより両機能部品Ａ、Ｂの連結は解除されるものである。
【００３７】
なお、上記図７（ｂ）および図８（ｃ）の連結構造においては連結部の水密を達成するＯリング等のパッキン部材の図示が省略されているが、実際の連結部にはそのパッキン部材が設けられる。
【００３８】
本実施形態例においては、図１（ａ）に示されるように、継手部材４５と圧力逃し弁３とがクリップ部材６３を用いて接続され、残りの機能部品等の部品同士は全てＵ字形状ピン４１を採用した連結構造となっているが、クリップ部材６３を用いるか、Ｕ字形状ピン４１を用いるかは仕様に応じ適宜選択して設計すればよいものである。
【００３９】
図３は本実施形態例の弁内蔵式給湯回路モジュールに組み込まれているメーンユニット５０の機能部品を抜き出してその構成を逆止弁１６の機能部品と連結された状態で示す。このメーンユニット５０はボデイＢ１内に主電磁弁１４と、逆止弁１５と、縁切り弁７との機構が形成され、入水側流路に水量センサ１３が配置されているもので、主電磁弁１４は通電によるソレノイド駆動によって弁４６を上げて弁口４８を開放し、通電停止によるスプリング４７の付勢力によって弁４６を弁口４８の弁座に押し付けて弁口４８を閉止するものである。弁口４８の開放により、水量センサ１３をへて供給される入水の湯は、弁口４８から通水路４９に入り込み、流水圧により逆止弁１５、１６を押し開けて逆止弁１６の送水端から送水される。なお、主電磁弁１４が閉弁の動作時においては、逆止弁１５、１６はばね５１、５２の不勢力によって水路を閉じ、送水端側から一次側（主電磁弁１４の上流側）への水の逆流を阻止する。
【００４０】
ボデイＢ１には一次側（主電磁弁１４の上流側）の水路と縁切り弁７の背圧室５５とを連通する通路が形成されており、常時はその一次圧を受けてダイアフラム５３は図３（ａ）の状態で上方へ撓み、弁部５４により両逆止弁１５、１６間の水路５９と縁切り弁７の排水室５６とを連通する排水導入路５８の下端は弁部５４によって閉止されている。主電磁弁１４が開弁されて、湯が入水端から送水端へ流れるときには排水導入路５８が弁部５４に閉止されているので、その送水の湯が排水路９側へ流出されることはない。
【００４１】
一方、一次圧（主電磁弁１４の上流側の圧力）が二次圧（主電磁弁１４の下流側の圧力）よりも低下したときには、下流側から主電磁弁１４側へ下流側の水（湯）が逆流しようとする。逆止弁１５、１６が正常に動作していれば、その逆流はその逆止弁１５、１６によって阻止されるが、何らかの原因によりこれらの逆止弁１５、１６が正常に機能していないときには、逆止弁１６を逆流して逆止弁１５と逆止弁１６の間の水路空間５９に入り込む。一方、一次側が二次側よりも負圧化したときには、背圧室５５の圧力が低下することで、弁部５４が排水導入路５８を開放するので、水路空間５９に入り込んだ逆流水は排水導入路５８から排水室５６に入りこむ。このとき、主電磁弁１４の入水口（弁口４８の入口）と排水室５６の入口（具体的には排水導入路５８の入口）との間に、水路空間５９に逆流した水を強制的に排水室５６へ落とし込むためのヘッド圧（ヘッド水頭圧）を発生させる高さ（以下、排水ヘッド圧発生高さという）Ｈｖが確保されているので、水路空間５９へ逆流した水は確実に排水室５６へ落とし込まれ排水路９を通して外部へ排水されるので、万が一主電磁弁１４の閉弁状態に異常があっても（閉弁が正常にされていない状態であっても）、逆流水が主電磁弁１４の上流側へ混入するのが防止される。
【００４２】
このように、弁内蔵式給湯回路モジュールを縦置き状態（主電磁弁１４を立て向きにした状態）に設置する場合は、必然的に前記排水ヘッド圧発生高さＨｖが確保されるので二次側から一次側への逆流は効果的に防止される。しかしながら、弁内蔵式給湯回路モジュールを給湯回路に設置する場合、設置場所の状況によっては横置きに設置（主電磁弁１４を横向きの姿勢で設置）することが望まれる場合がある。
【００４３】
一般的には、主電磁弁１４は縦向きに設置するのが慣習的な施工形態であり、主電磁弁１４を横向きに設置することに関しての検討は行なわれていないのが現状である。そこで、本発明者は主電磁弁１４を横向きに設置した場合にどのような問題が生じるかについての検討を行なった。図１１はその検討を行なうのに使用した弁内蔵式給湯回路モジュールの試験品である。この試験品は縦置きの仕様で製作した弁内蔵式給湯回路モジュールであり、これを横置きに設置した状態で逆流実験を行なった。
【００４４】
この逆流実験は、主電磁弁１４および逆止弁１５、１６の弁の閉止部に針金を差し込んで主電磁弁１４および逆止弁１５、１６の閉止異常状態（弁の漏れ状態）を人為的に作り出し、その状態で、逆圧（主電磁弁１４の一次側よりも二次側を高圧にした圧力）を印加し、二次側から一次側への逆流の発生状況を調べたものである。その実験の結果、縦置きの仕様に沿って製作した弁内蔵式給湯回路モジュールを横向き（横置き）にして使用した場合には、主電磁弁１４の入水口と排水室５６の入口との高低差Ｈが小さく、水路空間５９に逆流した水を強制的に排水室５６側へ落とし込むための十分なヘッド圧が得られず、弁部５４が排水導入路５８の出口を開放しているにもかかわらず、水路空間５９側から主電磁弁１４の一次側に逆流が発生してしまうということが検証された。
【００４５】
そこで、本実施形態例においては、図３（ｂ）に示すように、弁内蔵式給湯回路モジュールを横置きに設置した場合においても一次側への逆流を阻止できるように、主電磁弁１４の入口と排水室５６への入口間に排水ヘッド圧発生高さＨｈを設けたことを特徴としている。
【００４６】
なお、図３から明らかなように、メーンユニット５０のボデイＢ１と逆止弁１６のボデイＢ２とはＵ字形状ピン４１を用いて連結され、ボデイＢ２と送水端側の水路が形成されたボデイＢ３もＵ字形状ピン４１を用いて連結されている。
【００４７】
図４（ａ）は減圧弁１９と逆止弁１８と負圧作動弁１７との各機能部品のボデイがＵ字形状ピン４１を用いてパイプレスの形態でワンタッチ形式で連結されている状態を示す。図４（ｂ）は図４（ａ）の側面図である。負圧作動弁１７は減圧弁１９の一次側に設けられており、その一次側が負圧化したときには弁を開いて外気を導入し、前記負圧化状態を解消するものである。なお、図中、６０は一次圧（減圧弁１９一次側圧力）、つまり、給水側圧力を縁切り弁７の背圧室５５（図３参照）へ加える連通路を示す。
【００４８】
本実施形態例においては、図１に示されるように、弁内蔵式給湯回路モジュール内に混合弁６と混合弁８の２つの混合弁を並列状に配置しており、これら一対の混合弁６、８の湯の入水側は共通の湯水路６１に連通接続され、一対の混合弁６、８の給水の入水側は共通の給水路６２に連通接続されている。この実施形態においては、共通の湯水路６１は共通湯水路形成部材６７に水路を貫通形成することによって形成し、共通湯水路形成部材６７のボデイの一端側を圧力逃し弁３のボデイにＵ字形状ピン４１を用いて連結し、共通湯水路形成部材６７のボデイの他端側を混合弁８のボデイの湯の入水端側にＵ字形状ピン４１を用いて連結し、さらに、共通の湯水路６１の入水端寄りに位置する共通湯水路形成部材６７のボデイの湯送水接続口は混合弁６のボデイの湯の入水口にＵ字形状ピン４１を用いて連結されている。
【００４９】
また、共通の給水路６２は共通給水路形成部材６８に水路を貫通形成することによって形成し、共通給水路形成部材６８のボデイの一端側は減圧弁１９のボデイの二次圧出力端側にＵ字形状ピン４１を用いて連結され、共通給水路形成部材６８のボデイの他端側は混合弁６のボデイの給水の入水端側にＵ字形状ピン４１を用いて連結され、さらに、共通の給水路６２の入水端寄りに位置する共通給水路形成部材６８のボデイの給水の送水接続口は混合弁８のボデイの給水の入水口にＵ字形状ピン４１を用いて連結されている。つまり、図９の給湯回路のＷ１〜Ｗ２に相当する水路部分が前記共通の湯水路６１に対応し、Ｗ３に相当する部分が前記湯送水接続口に対応する。また、図９の給湯回路のＣ１〜Ｃ２に相当する水路部分が前記共通の給水路６２に対応し、Ｃ３に相当する部分が前記給水の送水接続口に対応する。
【００５０】
このように複数の混合弁を並列状に配置することで、各混合弁の湯と水の供給水路が簡易化されその水路の長さも短くなるので弁内蔵式給湯回路モジュールの小型化、軽量化が促進される。しかしその一方で、複数の混合弁を並列状に配置してその複数の混合弁が共通の湯水路から湯を取り込み、共通の給水路から給水の水を取り込むようにすると、圧力損失の関係で、上流側に配置される混合弁に比べ、下流側に配置される混合弁の水圧が低下し、また、一方側の混合弁の弁の動作に伴う水圧変動が他方側の混合弁の入水圧力の変動となって現れるので、各混合弁の制御条件に差が生じ、湯と水の混合制御に狂いが生じて調温制御の信頼性が損なわれるという問題が生じ得る。
【００５１】
この実施形態においては、このような問題を解消するために、共通の湯水路６１と共通の給水路６２を供に水路の大部分が直線通路となるように形成し、さらに、共通の湯水路６１は弁内蔵式給湯回路モジュール内の湯の水路の中で圧力損失の少ない上流端の圧力逃し弁３の直近位置に設け、また、共通の給水路６２も圧力損失の影響を受けない減圧弁１９の二次側に直近して設けて水路の圧力損失の影響を最小限に抑えている。そしてさらに、共通の湯水路６１は接続相手の上流側の水路（例えば内径１６ｍｍ）よりも大径（例えば２１〜２２ｍｍ）に形成し、共通の給水路６２も接続相手側の上流側の水路（例えば内径１６ｍｍ）よりも大径（例えば２１〜２２ｍｍ）に形成している。このように水路６１、６２を大径に形成することで、混合弁の弁動作によって生じる水圧変動を吸収緩和し、一方側の混合弁の弁動作による影響が他方側の混合弁に作用するのを極力抑えて複数の混合弁が並列配置された構成としても前記問題を解消し、温調の制御品質（精度）を充分満足させることが可能な構成と成している。
【００５２】
図５は本実施形態例の弁内蔵式給湯回路モジュールと給湯回路の外部管路との接続状態を示す。外部管路は図９に示される回路に示されている管路に対応し、図９に示される管路と同じ管路は図９と同じ符号を付してある。図５において、弁内蔵式給湯回路モジュールの圧力逃し弁３の入水端には給湯管１２が接続され、貯湯タンク１から弁内蔵式給湯回路モジュールに湯が供給される。また、弁内蔵式給湯回路モジュールの減圧弁１９の二次側の分岐接続口には給水を貯湯タンク１へ供給するための給水分岐管３９が接続される。なお、減圧弁１９の二次側の主の接続口には前述されているように共通給水路形成部材６８が接続される。
【００５３】
さらに、弁内蔵式給湯回路モジュールの混合弁６の混合水の出口側の流量センサ４を介した出口端には給湯管２０が接続され、さらに、弁内蔵式給湯回路モジュールの逆止弁１６の下流端側出口には循環路４０（風呂回路）に接続された湯張り管６９が接続される。
【００５４】
これらの各外部管路１２、２０、３９、１１、６９と弁内蔵式給湯回路モジュールとの接続は継手を介してねじの締結により行なっても良いが、本実施形態例においては、これらの外部管路の接続もワンタッチ形式で行なうために、クリップ部材６３を用いて行なう構成と成している。
【００５５】
本実施形態例においては、給湯回路を構成する各機能部品同士は一体的に連結されてモジュール化されているので、この弁内蔵式給湯回路モジュールに５本の外部管路（外部配管材）１２、２０、３９、１１、６９を接続するだけの作業で給湯回路が構築できる。そのため、給湯回路を構築する場合、従来例のように各機能部品同士を配管パイプ２を用いていちいち接続する作業は不要となり、一体物として形成されている弁内蔵式給湯回路モジュールに前記のように外部配管を接続するだけでよいので給湯回路の施工作業効率およびメンテナンスの作業効率は格段にアップし、これら給湯回路の構築、およびメンテナンスの低コスト化を達成することができる。また、従来例のように多数の配管パイプ２の引き回しがないので、給湯回路の簡易化（簡素化）、軽量化および小型化が可能である。
【００５６】
また、本実施形態例の弁内蔵式給湯回路モジュールは各機能部品のボデイがワンタッチ取り付け具を用いてパイプレスの形態で連結される構成と成しているため、連結部の形状を規格化することにより、同一形状のワンタッチ取り付け具を用いて種類の異なる様々な機能部品を相互にワンタッチ形式で連結することが可能となり、機能部品の除外、交換、追加等を自在に行うことができ、給湯回路の設計変更、開発、試作等を行う上で有利である。
【００５７】
次に、本発明に係る弁内蔵式給湯回路モジュールの第２の実施形態例を説明する。この第２の実施形態例の弁内蔵式給湯回路モジュールは図１０に示す給湯回路を含む給湯・追い焚き複合回路のモデルの符号Ａで囲まれた部分の給湯回路をモジュール化したものである。図１０に示す回路のモデルが前記図９に示した回路のモデルと異なる点は、図９の回路では、浴槽２８の湯水の追い焚きを貯湯タンク１内に設けた熱交換器２６で行なっているが、図１０の回路では、管路３８に電気ヒータ等の発熱体７１を設け、浴槽湯水の循環流をこの発熱体７１に通すことで追い焚きを行なう構成としたことと、減圧弁１９の一次側の回路にブローバルブ７３設けたことであり、それ以外の構成は前記図９に示した回路と同様なので、図９に示したものと同一の構成部分には同一符号を付して重複説明は省略する。
【００５８】
この図１０に示す回路モデルにおいて、循環路４０は、浴槽２８から、戻り管２５、循環ポンプ２９、管路３７、電動二方弁７０、発熱体７１を順に介して浴槽２８に戻る回路によって構成され、電動二方弁７０は追い焚き時には管路３８を管路３７側に接続し、湯張り時には管路３７と管路３８を湯張り管６９に接続する。
【００５９】
本発明に係る弁内蔵式給湯回路モジュールの第２の実施形態例は前記第１の実施形態例の弁内蔵式給湯回路モジュールにブローバルブ７３の機能部品を付加したものであり、それ以外の構成は第１の実施形態例の弁内蔵式給湯回路モジュールの構成と同じなので、同一構成部分には同一符号を付してその重複説明は省略する。
【００６０】
図６はこの特有なブローバルブ７３を組み込んだメーンユニット５０の構成を逆止弁１６の機能部品と連結した状態で示す。この図６に示す構成は第１の実施形態例の図３に示される構成にブローバルブ７３を組み込み、このブローバルブ７３に関連する回路を追加形成したものであり、この新に追加した構成を以下に説明し、それ以外の図３に示す構成と同一部分の構成については既に図３に関連して説明済みであるので、その重複説明は省略する。
【００６１】
図６において、ブローバルブ７３は、一次圧連通孔７５と、弁室空間部８０と、可動弁７６と、スプリング７７と、ばね支持板７８と、排水連通孔７９とを有して次のように構成されている。すなわち、ダイアフラム５３の背圧室５５の壁面を形成するボデイ部材７４には、背圧室５５の背面側に弁室空間部８０が形成され、その弁室空間部８０と背圧室５５とは一次圧連通孔７５によって連通されている。また、弁室空間部８０の側壁には排水路９に連通するブローバルブ７３の圧力逃し通路（圧力逃し通路の一部の通路）として機能する排水連通孔７９が形成されている。
【００６２】
弁室空間部８０には可動弁７６が摺動自在に収容され、この可動弁７６の背面（後端面）側の弁室空間部８０にはスプリング７７が収容されている。スプリング７７の一端側は可動弁７６の背面に係止し、スプリング７７の他端側は弁室空間部８０の外端開口を閉鎖するばね支持板７８に係止され、このスプリング７７によって可動弁７６は一次圧連通孔７５側に付勢されて、常時は一次圧連通孔７５（一次圧連通孔７５の弁口）は可動弁７６によって閉鎖されている。この可動弁７６の弁閉鎖位置の状態で、排水連通孔７９は可動弁７６の背面側で弁室空間部８０に連通している。
【００６３】
減圧弁１９の一次側の給水路は前記したように背圧室５５に連通し、また、背圧室５５は一次圧連通孔７５に連通しているので、可動弁７６の前端面（弁口閉鎖面）、つまり、ブローバルブ７３の一次圧力（一次側給水圧力）の入口には給水路の一次圧が加わっている。ブローバルブ７３は予め定めた設定圧力（設定水圧）が与えられている。すなわち、給水路の一次圧が設定圧力に達するまでは可動弁７６は一次圧連通孔７５の閉鎖状態を維持し、給水路の一次圧が設定圧力を越えたときにはスプリング７７の不勢力に抗して後退移動して一次圧連通孔７５と排水連通孔７９とを弁室空間部８０を介して連通し、給水路の過剰圧力を一次圧連通孔７５、弁室空間部８０、排水連通孔７９を通して排水路９に導き、排水路９から外部へ排出して（逃して）給水路の一次圧が設定圧力を越えないように調整する。
【００６４】
この設定圧力は機能部品の射出成型品のボデイの機械的強度によって定まる耐圧を下回る値（余裕をもって下回る値）に設定される。本実施形態例では、各機能部品のボデイは合成樹脂の射出成型品によって形成されており、その構成樹脂製のボデイは金属製のボデイよりも機械的強度が低いことが想定される。金属製のボデイよりも機械的強度が低い射出成型品のボデイを使用しても、射出成型品が十分に耐え得る余裕をもった圧力に対応した設定圧力をブローバルブ７３に与えることで、射出成型品は使用圧力に対して十分に対抗でき、長期使用の信頼性を得ることができる。また、その射出成型品のボデイを破壊するような圧力が加わることが防止されるので、金属製品のボデイに代えて製造の容易化、小型化、軽量化、低コスト化が図れる合成樹脂製のボデイを支障なく採用することが可能となるものである。
【００６５】
また、この実施形態においては、縁切り弁７の排水路９をブローバルブ７３の圧力逃し通路として兼用しているので、ブローバルブ７３の圧力逃し通路を排水路９とは別個独立の専用通路として形成する場合に比べ、その装置構成が簡易となり、小型化、軽量化、低コスト化が図れる。
【００６６】
さらに、ブローバルブ７３が動作して可動弁７６が一次圧連通孔７５を開放し、一次圧連通孔７５と排水連通孔７９とを連通して、過剰圧力を逃すとき、図６に示されるように、弁内蔵式給湯回路モジュールを縦置きにした場合には、上位側の背圧室５５の出口（背圧室５５から弁室空間部８０への出口、換言すればブローバルブ７３の給水一次圧の入口）と、下位側の排水連通孔７９の出口（排水連通孔７９から排水路９への出口、換言すれば、排水連通孔７９が排水路９に連通する連通口）との間に、高低差ＨＢｖが形成される。この高低差ＨＢｖは排水路９から背圧室５５へ水が入り込むのを強制的に阻止するヘッド圧（ヘッド水頭）が得られる値に設定されており、それ故、ブローバルブ７３が圧力開放動作を行なっているときには排水路９側から背圧室５５側（給水路）へ排水が入り込むことがなく、給水路は排水路９と確実に縁切りされる。
【００６７】
本実施形態の弁内蔵式給湯回路モジュールは図３において説明したように、縦置き設置と横置き設置の何れにおいても使用可能であり、図６の実施形態において、弁内蔵式給湯回路モジュールを横置き設置形態で使用するときには、上位側の背圧室５５の出口（背圧室５５から弁室空間部８０への出口、換言すればブローバルブ７３の給水一次圧の入口）と、下位側の排水連通孔７９の出口（排水連通孔７９から排水路９への出口、換言すれば、排水連通孔７９が排水路９に連通する連通口）との間に、高低差ＨＢｈが形成され、この高低差ＨＢｈが排水路９から背圧室５５へ水が入り込むのを強制的に阻止するヘッド圧（ヘッド水頭）を発生させるので、同様に、ブローバルブ７３が圧力開放動作を行なっているときには排水路９側から背圧室５５側（給水路）へ排水が入り込むことがなく、給水路は排水路９と確実に縁切りされる。
【００６８】
また、この第２の実施形態例においても前記第１の実施形態例が奏する効果を同様に奏するものである。
【００６９】
なお、本発明は上記の各実施形態例に限定されることなく、様々な実施の形態を採り得る。例えば、上記実施形態例では、図９や図１０で示した給湯回路のモデル例を対象にしてその弁内蔵式給湯回路モジュールを説明したが、本発明の弁内蔵式給湯回路モジュールは上記モデル例以外の様々なタイプの給湯回路に適用可能である。図９、図１０のモデル例において、浴槽２８への湯張りの回路を除外した給湯回路の場合には、図９、図１０のＡで囲まれた機能部品のうち、混合弁８、水量センサ１３、主電磁弁１４、逆止弁１５、１６、縁切り弁７を除外した機能部品によって弁内蔵式給湯回路モジュールが形成される。
【００７０】
また、機能部品の種類や構造も給湯回路の仕様に応じ異なるものであり、その場合にはそれぞれの仕様に応じた給湯回路の各機能部品をモジュール化すればよい。
【００７１】
さらに、上記の各実施形態例では、給湯回路に含まれる全ての機能部品および水路形成部材を集合一体化してモジュール構成としたが、全ての機能部品ではなく、そのうちの一部の機能部品をモジュール化（水路形成部材を含む場合はその水路形成部材を含んでモジュール化）したものでもよい。ただ、本実施形態例のように、給湯回路に含まれる全ての機能部品をモジュール化することにより、各機能部品同士の配管接続がなくなるので、取り扱いがより容易となる上に、小型化、軽量化を図る上で有利となる。
【００７２】
さらに、上記各実施形態例においては、給湯回路の給湯源の貯湯タンク１はヒータ３３を用いた電気式の加熱源であったが、この加熱源は電気式でなくても良く、例えば、ガスや石油を燃料とする給湯器で作り出した湯を貯湯タンク１に貯湯するタイプのものでもよく、さらには貯湯タンクは設けずに、給湯器等で作り出した湯を直接的に給湯回路に導入するタイプのものでもよく、給湯回路の給湯源は湯を供給できる機能を備えていれば他の構成のものでもよい。
【００７３】
さらに、上記各実施形態例では、機能部品相互を連結するワンタッチ取り付け具の例として、Ｕ字形状ピン４１とクリップ部材６３を示したが、ワンタッチ取り付け具は機能部品同士をねじ締結構成を持たずにパイプレスで連結するものであれば他の構成のものでもよい。
【図面の簡単な説明】
【００７４】
【図１】本発明に係る弁内蔵式給湯回路モジュールの第１の実施形態例を示す図であり、（ａ）は平面図であり、（ｂ）は正面図である。
【図２】同じく本発明に係る弁内蔵式給湯回路モジュールの第１の実施形態例を示す図であり、（ａ）は図１（ｂ）の左側面図であり、（ｂ）は図１（ｂ）の右側面図である。
【図３】第１の実施形態例の弁内蔵式給湯回路モジュールからメーンユニット５０および逆止弁１６の構成部分を抜き出して示す図である。
【図４】第１の実施形態例の弁内蔵式給湯回路モジュールから負圧作動弁１７と逆止弁１８と減圧弁１９との構成部分を抜き出して示す図である
【図５】本実施形態例の弁内蔵式給湯回路モジュールと外部管路との接続状態を示す図である。
【図６】本発明の第２の実施形態例の弁内蔵式給湯回路モジュールからメーンユニット５０、逆止弁１６およびブローバルブ７３の構成部分を抜き出して示す図である。
【図７】ワンタッチ取り付け具のＵ字形状ピン４１とその代表使用例を示す図である。
【図８】ワンタッチ取り付け具のクリップ部材６３とその代表使用例を示す図である。
【図９】第１実施形態例の弁内蔵式給湯回路モジュールに関連する給湯回路を含む給湯・風呂複合回路を示す図である。
【図１０】第２実施形態例の弁内蔵式給湯回路モジュールに関連する給湯回路を含む給湯・風呂複合回路を示す図である。
【図１１】本発明の弁内蔵式給湯回路モジュールを創作するに至った実験用の弁内蔵式給湯回路モジュールの説明図である。
【図１２】従来の給湯回路の一例を示す図である。
【符号の説明】
【００７５】
３  圧力逃し弁
４、１３  水量センサ
６、８  混合弁
１４  主電磁弁
１５、１６、１８  逆止弁
１７  負圧作動弁
１９  減圧弁
【図１】
2006010259.tif 000003
【図２】
2006010259.tif 000004
【図３】
2006010259.tif 000005
【図４】
2006010259.tif 000006
【図５】
2006010259.tif 000007
【図６】
2006010259.tif 000008
【図７】
2006010259.tif 000009
【図８】
2006010259.tif 000010
【図９】
2006010259.tif 000011
【図１０】
2006010259.tif 000012
【図１１】
2006010259.tif 000013
【図１２】
2006010259.tif 000014